(57)【要約】【課題】美的外観を損なわずに、取り外しができるように、簡単にソーラーセルをムーブメントに取り付けることを目的とする。【解決手段】ソーラーセル２８付電子時計は、ムーブメント１８と、ムーブメント１８の側面を囲むように配置され、ムーブメント１８の周囲に沿った方向の長さを有し、ムーブメント１８の厚み方向の幅を有するフレキシブルシート状のソーラーセル２８と、を有する。ソーラーセル２８は、幅方向の一方の側辺に沿った第１側端部３０と、幅方向の他方の側辺に沿った第２側端部３２と、第１側端部３０及び第２側端部３２の間で長さ方向に延びる中央部３４と、を有する。ムーブメント１８は、第１側端部３０を保持する第１保持部３６と、第２側端部３２を保持する第２保持部３８と、を有する。第１保持部３６及び第２保持部３８は、厚み方向に対向しないように互い違いに配置されている。【選択図】図７
2015152355.tif 000002
【特許請求の範囲】
【請求項１】
ムーブメントと、
前記ムーブメントの側面を囲むように配置され、前記ムーブメントの周囲に沿った方向の長さを有し、前記ムーブメントの厚み方向の幅を有するフレキシブルシート状のソーラーセルと、
を有し、
前記ソーラーセルは、前記幅方向の一方の側辺に沿った第１側端部と、前記幅方向の他方の側辺に沿った第２側端部と、前記第１側端部及び前記第２側端部の間で前記長さ方向に延びる中央部と、を有し、
前記ムーブメントは、前記第１側端部を保持する第１保持部と、前記第２側端部を保持する第２保持部と、を有し、
前記第１保持部及び前記第２保持部は、前記厚み方向に対向しないように互い違いに配置されていることを特徴とするソーラーセル付電子時計。
【請求項２】
請求項１に記載されたソーラーセル付電子時計において、
前記第１保持部及び前記第２保持部は、それぞれ、前記第１側端部及び前記第２側端部を引っ掛ける爪であることを特徴とするソーラーセル付電子時計。
【請求項３】
請求項１に記載されたソーラーセル付電子時計において、
前記ソーラーセルの前記第１側端部及び前記第２側端部は、それぞれ、凸部を有し、
前記第１保持部及び前記第２保持部は、それぞれ、前記凸部を差し込む穴であることを特徴とするソーラーセル付電子時計。
【請求項４】
請求項１から３のいずれか１項に記載されたソーラーセル付電子時計において、
前記ソーラーセルの前記長さ方向の一方の端部は、前記第１側端部に偏った位置で前記長さ方向に突出し、
前記ソーラーセルの前記長さ方向の他方の端部は、前記第２側端部に偏った位置で前記長さ方向に突出し、
前記ムーブメントは、前記ソーラーセルの前記一方の端部を保持する第３保持部と、前記ソーラーセルの前記他方の端部を保持する第４保持部と、を有することを特徴とするソーラーセル付電子時計。
【発明の詳細な説明】
【技術分野】
【０００１】
本発明は、ソーラーセル付電子時計に関する。
【背景技術】
【０００２】
近年、電子時計には、装飾品としての美的外観が求められることはもとより、クロノグラフ機能や電波受信機能などの消費電力の高い機能が求められている。時計の駆動に必要な電力を太陽電池で発電するソーラーセル付電子時計にも同様の要求がある。ソーラーセル付電子時計は、特許文献１及び２に開示されている。
【先行技術文献】
【特許文献】
【０００３】
【特許文献１】特開２００５−１１４６５０号公報
【特許文献２】特開２００６−３１３１０３号公報
【発明の概要】
【発明が解決しようとする課題】
【０００４】
特許文献１及び２に開示される例では、ソーラーセルを文字板の周囲に立ち上がるように配置することで文字板の美観を確保しているが、時計の厚みが増してしまう。そこで、本発明の発明者は、ムーブメントの周囲にソーラーセルを配置することを検討している。その場合、ソーラーセルとムーブメントを、両面テープや接着剤によって固定すると、ソーラーセルの取り替えができなくなる。あるいは、ムーブメントに蓋を取り付けることによってソーラーセルを保持すると、蓋によって製品の厚みが増すので美観を損なうという問題がある。
【０００５】
本発明は、美的外観を損なわずに、取り外しができるように、簡単にソーラーセルをムーブメントに取り付けることを目的とする。
【課題を解決するための手段】
【０００６】
（１）本発明に係るソーラーセル付電子時計は、ムーブメントと、前記ムーブメントの側面を囲むように配置され、前記ムーブメントの周囲に沿った方向の長さを有し、前記ムーブメントの厚み方向の幅を有するフレキシブルシート状のソーラーセルと、を有し、前記ソーラーセルは、前記幅方向の一方の側辺に沿った第１側端部と、前記幅方向の他方の側辺に沿った第２側端部と、前記第１側端部及び前記第２側端部の間で前記長さ方向に延びる中央部と、を有し、前記ムーブメントは、前記第１側端部を保持する第１保持部と、前記第２側端部を保持する第２保持部と、を有し、前記第１保持部及び前記第２保持部は、前記厚み方向に対向しないように互い違いに配置されていることを特徴とする。本発明によれば、蓋を使用しないので厚みが増すことがなく、美的外観を損なわずにソーラーセルをムーブメントに取り付けることができる。また、両面テープや接着剤を使用しないので、ソーラーセルの取り外しが可能であり、簡単にソーラーセルを取り付けることができる。
【０００７】
（２）（１）に記載されたソーラーセル付電子時計において、前記第１保持部及び前記第２保持部は、それぞれ、前記第１側端部及び前記第２側端部を引っ掛ける爪であることを特徴としてもよい。
【０００８】
（３）（１）に記載されたソーラーセル付電子時計において、前記ソーラーセルの前記第１側端部及び前記第２側端部は、それぞれ、凸部を有し、前記第１保持部及び前記第２保持部は、それぞれ、前記凸部を差し込む穴であることを特徴としてもよい。
【０００９】
（４）（１）から（３）のいずれか１項に記載されたソーラーセル付電子時計において、前記ソーラーセルの前記長さ方向の一方の端部は、前記第１側端部に偏った位置で前記長さ方向に突出し、前記ソーラーセルの前記長さ方向の他方の端部は、前記第２側端部に偏った位置で前記長さ方向に突出し、前記ムーブメントは、前記ソーラーセルの前記一方の端部を保持する第３保持部と、前記ソーラーセルの前記他方の端部を保持する第４保持部と、を有することを特徴としてもよい。
【図面の簡単な説明】
【００１０】
【図１】本発明の実施形態に係るソーラーセル付き電子時計の正面図である。
【図２】図１に示すソーラーセル付き電子時計のII−II線断面の概略図である。
【図３】ソーラーセルを示す斜視図である。
【図４】ソーラーセルの取り付け構造を示す斜視図である。
【図５】ソーラーセルの取り付け構造を示す底面図である。
【図６】ソーラーセルを外したムーブメントを示す斜視図である。
【図７】ソーラーセルの取り付け工程を説明するための斜視図である。
【図８】ソーラーセルの取り付け工程を説明するための斜視図である。
【図９】ソーラーセルの取り付け工程を説明するための斜視図である。
【図１０】ソーラーセルの取り付け工程を説明するための底面図である。
【図１１】ソーラーセルの製造工程を説明する図である。
【図１２】実施形態の変形例に係るムーブメント及びソーラーセルを示す斜視図である。
【図１３】実施形態の変形例に係るソーラーセルを示す斜視図である。
【図１４】実施形態の変形例に係るムーブメントを示す斜視図である。
【発明を実施するための形態】
【００１１】
以下、本発明の実施形態について、図面を参照して説明する。
【００１２】
図１は、本発明の実施形態に係るソーラーセル付き電子時計の正面図である。図２は、図１に示すソーラーセル付き電子時計のII−II線断面の概略図である。
【００１３】
ソーラーセル付き電子時計は、時計ケース１０を有する。時計ケース１０には、表側にガラスからなる風防１２が取り付けられ、裏側に金属からなる裏蓋１４が取り付けられている。時計ケース１０の側面から突出するように、外部操作部材である巻真１６が設けられている。
【００１４】
巻真１６は、回転させることによりムーブメント１８に設けられた電気的接点をオン・オフするようになっており、これにより巻真１６の回転操作を検出することができる。もちろん、巻真１６を引き出すことにより輪列と直接接続するようにしてもよい。巻真１６は、時計ケース１０から突出することから分かるように、ムーブメント１８の側面から突出するように設けられる（図４参照）。ムーブメント１８の上側に、時計表示部材として文字板２０及び指針２２が設けられている。ムーブメント１８は、ドーナツ状の中枠２４に嵌め込まれている。
【００１５】
ソーラーセル付電子時計は、見返しリング２６を有する。見返しリング２６は、光透過性の樹脂により成型されている。見返しリング２６も中枠２４に保持されている。見返しリング２６は、中枠２４、風防１２及び時計ケース１０で保持される。したがって、衝撃によるガタが非常にすくない構造になっている。相対的に、中枠２４は、見返しリング２６、時計ケース１０及び裏蓋１４で保持される。見返しリング２６の外周面には、金属薄膜からなる図示しないフルミラー膜が形成されており、見返しリング２６に入射した光を反射するようになっている。見返しリング２６に入射した光は、ソーラーセル２８に入射するようになっている。
【００１６】
図３は、ソーラーセルを示す斜視図である。ソーラーセル２８には、図示しない下部電極、半導体層及び光透過性の上部電極が積層されており、入射した光によって発電が行われるようになっている。ソーラーセル２８は、フレキシブルシート状であり、帯状になっている。ソーラーセル２８の長さ方向の一方の端部２８ａは、幅方向の一方の側辺に沿った第１側端部３０に偏った位置で長さ方向に突出している。ソーラーセル２８の長さ方向の他方の端部２８ｂは、幅方向の他方の側辺に沿った第２側端部３２に偏った位置で長さ方向に突出している。つまり、ソーラーセル２８の長さ方向の両端部２８ａ，２８ｂは、互い違いの方向に偏った位置で、長さ方向に突出するようになっている。ソーラーセル２８は、第１側端部３０及び第２側端部３２の間で長さ方向に延びる中央部３４を有する。
【００１７】
図４及び図５は、それぞれ、ソーラーセル２８の取り付け構造を示す斜視図及び底面図である。ソーラーセル２８は、ムーブメント１８の側面を囲むように配置されている。ムーブメント１８は、円形の平面形状を有し、これに対応して、側面は円柱面に沿った形状になっている。したがって、ソーラーセル２８は、図３に示すように、円柱面に沿って曲った状態でムーブメント１８に取り付けられる。ソーラーセル２８は、ムーブメント１８の周囲に沿った方向がその長手方向となり、ムーブメント１８の厚み方向がその幅方向となるように配置される。
【００１８】
図６は、ソーラーセル２８を外したムーブメント１８を示す斜視図である。ムーブメント１８の側面には、その幅方向の一方の端部から中央方向に延びるように、爪の形状をなす第１保持部３６が設けられている。ムーブメント１８の側面には、その幅方向の他方の端部から中央方向に延びるように、爪の形状をなす第２保持部３８が設けられている。第１保持部３６及び第２保持部３８の内側にはスペースが形成されており、このスペースでソーラーセル２８を保持するようになっている。
【００１９】
ここで、第１保持部３６はソーラーセル２８の第１側端部３０を保持し、第２保持部３８はソーラーセル２８の第２側端部３２を保持する。本実施形態では、第１保持部３６及び第２保持部３８は、それぞれ、第１側端部３０及び第２側端部３２を引っ掛ける爪である。第１保持部３６及び第２保持部３８は、ムーブメント１８の厚み方向（側面の高さ方向）に対向しないように、互い違いに配置されている。したがって、図４に示すように、ソーラーセル２８の第１側端部３０及び第２側端部３２は、第１保持部３６及び第２保持部３８によって、互い違いに保持される。
【００２０】
図４及び図５に示すように、ムーブメント１８は、ソーラーセル２８の一方の端部２８ａを保持する第３保持部４０を有する。また、図４に示すように、ムーブメント１８は、ソーラーセル２８の他方の端部２８ｂ（図３参照）を保持する第４保持部４２を有する。第３保持部４０及び第４保持部４２は、いずれも、スペースを内側に形成する突片である。ソーラーセル２８の両端部２８ａ，２８ｂは、それぞれ、幅方向の両側に偏った位置で突出するので、互い違いの位置でムーブメント１８に保持される。
【００２１】
本実施形態によれば、蓋を使用しないので厚みが増すことがなく、美的外観を損なわずにソーラーセル２８をムーブメント１８に取り付けることができる。また、両面テープや接着剤を使用しないので、ソーラーセル２８の取り外しが可能であり、簡単にソーラーセル２８を取り付けることができる。
【００２２】
図７〜図１０は、ソーラーセルの取り付け工程を説明する図である。本実施形態では、図３に示すソーラーセル２８を、図６に示すムーブメント１８に取り付ける。まず、例えば、ソーラーセル２８の一方の端部２８ａを第３保持部４０に挿入する。そして、図７及び図８に示すように、第１側端部３０及び第２側端部３２を、それぞれ、第１保持部３６及び第２保持部３８によって交互に引っ掛ける。詳しくは、ソーラーセル２８を捩じることで、第１保持部３６の下に第１側端部３０を挿入し、第２保持部３８の下に第２側端部３２を挿入する。このプロセスでは、ソーラーセル２８を捩じることはあっても折り曲げることはないので、ソーラーセル２８に作り込まれた半導体層や配線層の破損が生じにくい。そして、ソーラーセル２８の他方の端部２８ｂを第４保持部４２に挿入する（図９参照）。なお、図９に示すムーブメント１８及びソーラーセル２８の底面図を図１０に示す。
【００２３】
図１１は、ソーラーセル２８の製造工程を説明する図である。ソーラーセル２８は、上述したように、両端部２８ａ，２８ｂが互い違いに突出する形状になっている。そこで、図１１に示すように、１枚の基材から多数個取りでソーラーセル２８を製造する場合、隣同士のソーラーセル２８を、端部２８ａ，２８ｂが隣り合うように配置すれば、材料の無駄がなくなり、１枚の基材から打ち抜く取り個数を増やすことができる。
【００２４】
図１２は、本発明の実施形態の変形例に係るムーブメント及びソーラーセルを示す斜視図である。この変形例でも、ソーラーセル１２８は、ムーブメント１１８の側面を囲むように配置されているが、取り付け構造が上記実施形態と異なっている。
【００２５】
図１３は、本発明の実施形態の変形例に係るソーラーセルを示す斜視図である。ソーラーセル１２８の第１側端部１３０は、複数の第１凸部１４４を有する。ソーラーセル１２８の第２側端部１３２は、複数の第２凸部１４６を有する。第１凸部１４４及び第２凸部１４６は反対方向に突出する。また、第１凸部１４４及び第２凸部１４６は、ソーラーセル１２８の長さ方向に互い違いに位置する。
【００２６】
図１４は、本発明の実施形態の変形例に係るムーブメントを示す斜視図である。ムーブメント１１８の第１保持部１３６及び第２保持部１３８は、それぞれ、第１凸部１４４及び第２凸部１４６を差し込む穴である。第１保持部１３６及び第２保持部１３８は、厚み方向に対向しないように互い違いに配置されている。その他の詳細は、上記実施形態で説明した内容が該当する。
【００２７】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００２８】
１０  時計ケース、１２  風防、１４  裏蓋、１６  巻真、１８  ムーブメント、２０  文字板、２２  指針、２４  中枠、２６  見返しリング、２８  ソーラーセル、２８ａ  端部、２８ｂ  端部、３０  第１側端部、３２  第２側端部、３４  中央部、３６  第１保持部、３８  第２保持部、４０  第３保持部、４２  第４保持部、１１８  ムーブメント、１２８  ソーラーセル、１３０  第１側端部、１３２  第２側端部、１３６  第１保持部、１３８  第２保持部、１４４  第１凸部、１４６  第２凸部。
【図１】
2015152355.tif 000003
【図２】
2015152355.tif 000004
【図３】
2015152355.tif 000005
【図４】
2015152355.tif 000006
【図５】
2015152355.tif 000007
【図６】
2015152355.tif 000008
【図７】
2015152355.tif 000009
【図８】
2015152355.tif 000010
【図９】
2015152355.tif 000011
【図１０】
2015152355.tif 000012
【図１１】
2015152355.tif 000013
【図１２】
2015152355.tif 000014
【図１３】
2015152355.tif 000015
【図１４】
2015152355.tif 000016